(57)【要約】【課題】  腋窩を測定部位とする体温測定に適した電子体温計を提供する。【解決手段】  先端に、温度を検出する温度センサが内蔵された測定部１２０と、前記温度センサにより検出された温度に基づいて、被検者の体温を算出する回路が内蔵された本体部１１０と、を備える電子体温計１００であって、本体部１１０は、測定部１２０を回動可能に結合する結合部１１５と、測定部１２０を、本体部１１０の長軸方向に対して略平行な標準位置と、本体部１１０の長軸方向に対して所定の角度をなす測定位置との間で回動させるための回動機構とを備える。【選択図】  図１
2014062841.tif 000002
【特許請求の範囲】
【請求項１】
先端に、温度を検出する温度センサが内蔵された測定部と、前記温度センサにより検出された温度に基づいて、被検者の体温を算出する回路が内蔵された本体部と、を備える電子体温計であって、
前記本体部は、
前記測定部を回動可能に結合する結合部と、
前記測定部を、前記本体部の長軸方向に対して略平行な第１の位置と、前記本体部の長軸方向に対して所定の角度をなす第２の位置との間で回動させるための回動機構と
を備えることを特徴とする電子体温計。
【請求項２】
前記回動機構は、
前記測定部を、前記本体部の長軸方向に対して略平行であって、かつ、前記本体部と重ね合わさった第３の位置まで回動させることが可能であることを特徴とする請求項１に記載の電子体温計。
【請求項３】
前記回動機構は、
前記測定部を、少なくとも前記第２の位置まで回動させるための駆動装置を更に備えることを特徴とする請求項１または２に記載の電子体温計。
【請求項４】
前記回動機構は、
前記測定部を、前記駆動装置の駆動を指示する指示部を更に備えることを特徴とする請求項３に記載の電子体温計。
【請求項５】
前記回動機構は、
手動で操作することにより、前記測定部を、少なくとも前記第２の位置まで回動させるための駆動力を提供する操作部を更に備えることを特徴とする請求項１または２に記載の電子体温計。
【請求項６】
前記本体部は、
前記第２の位置まで回動した場合に、前記被検者の体温の算出を開始することを特徴とする請求項１乃至５のいずれか１項に記載の電子体温計。
【請求項７】
前記回動機構は、
前記電子体温計の電源が投入された場合に、前記測定部を、前記第２の位置以外の位置に回動させることを特徴とする請求項３に記載の電子体温計。
【請求項８】
前記所定の角度は、略３０°であることを特徴とする請求項１乃至７のいずれか１項に記載の電子体温計。
【発明の詳細な説明】
【技術分野】
【０００１】
本発明は、電子体温計に関するものである。
【背景技術】
【０００２】
被検者の体温を測定する体温計として、従来より、電子体温計が広く利用されている（例えば、特許文献１参照）。また、当該電子体温計を利用した体温測定における代表的な測定部位として、腋窩が挙げられる。
【０００３】
図８は、電子体温計を用いて腋窩にて被検者の体温測定を行う場合の、測定動作の流れを図示したものである。図８（ａ）に示すように、腋窩を測定部位とする場合、電子体温計の先端を腋窩のくぼみの中央にあてがうべく、下から上に向けて押し上げるように挟みこむことが望ましい。
【０００４】
また、図８（ｂ）に示すように、電子体温計の先端が腋窩のくぼみの中央にあてがわれた状態では、電子体温計の傾き８１２が垂直方向（重力方向）８１１に対して概ね３０°程度となるようにすることが望ましい。更に、測定中は、腋窩が密閉されるように閉じ、肘をわき腹に密着させた状態を維持することが望ましい。
【先行技術文献】
【特許文献】
【０００５】
【特許文献１】特開２００９−１５６８８２号公報
【発明の概要】
【発明が解決しようとする課題】
【０００６】
しかしながら、被検者が被服を着用している場合、被服の襟の隙間から電子体温計を被服の下に挿入し、上述のように、電子体温計の先端を下から上に向けて押し上げるように挟み込むことは、困難である。更に、挟み込んだ状態で、電子体温計の傾きを概ね３０°程度に維持することは、必ずしも容易ではない。
【０００７】
つまり、現状の電子体温計は、被検者が被服を着用している状態での、腋窩へのアプローチ及びアプローチ後の測定状態の維持の観点において、必ずしも最適な形状を有しているとはいえない。
【０００８】
本発明は上記課題に鑑みてなされたものであり、腋窩を測定部位とする体温測定に適した電子体温計を提供することを目的とする。
【課題を解決するための手段】
【０００９】
上記の目的を達成するために、本発明に係る電子体温計は以下のような構成を備える。即ち、
先端に、温度を検出する温度センサが内蔵された測定部と、前記温度センサにより検出された温度に基づいて、被検者の体温を算出する回路が内蔵された本体部と、を備える電子体温計であって、
前記本体部は、
前記測定部を回動可能に結合する結合部と、
前記測定部を、前記本体部の長軸方向に対して略平行な第１の位置と、前記本体部の長軸方向に対して所定の角度をなす第２の位置との間で回動させるための回動機構とを備える。
【発明の効果】
【００１０】
本発明によれば、腋窩を測定部位とする体温測定に適した電子体温計を提供することが可能となる。
【図面の簡単な説明】
【００１１】
【図１】本発明の第１の実施形態に係る電子体温計１００の外観構成を示す図である。
【図２】電子体温計１００の内部構成を示す図である。
【図３】電子体温計１００を用いて体温測定を行う場合の、測定動作の流れを示す図である。
【図４】本発明の第２の実施形態に係る電子体温計４００の内部構成を示す図である。
【図５】本発明の第３の実施形態に係る電子体温計５００の内部構成を示す図である。
【図６】本発明の第４の実施形態に係る電子体温計６００の外観構成を示す図である。
【図７】電子体温計６００を用いて体温測定を行う場合の、測定動作の流れを示す図である。
【図８】従来の電子体温計を用いて体温測定を行う場合の、測定動作の流れを示す図である。
【発明を実施するための形態】
【００１２】
以下、本発明の各実施形態について図面を参照しながら説明する。なお、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１３】
［第１の実施形態］
１．電子体温計の外観構成
本発明の第１の実施形態に係る電子体温計１００の外観構成について図１を用いて説明する。図１において（ａ）は、電子体温計１００を正面から見た様子を示しており、（ｂ）は、下面から見た様子を示している。
【００１４】
図１（ａ）に示すように、電子体温計１００は、本体部１１０と測定部１２０とを備える。
【００１５】
このうち、本体部１１０の内部には、検出された温度に基づいて被検者の体温を算出する演算制御回路や、ブザー部、電池等が収納されている（不図示）。また、測定部１２０を回動させるための回動機構（詳細は後述）が収納されている。
【００１６】
本体部１１０の正面には、算出した体温を表示する表示部１１１と、測定部１２０の回動を指示する指示部１１３及び１１４が設けられている。また、本体部１１０の後端面には電源のＯＮ／ＯＦＦを指示するＯＮ／ＯＦＦスイッチ１１２が設けられている。
【００１７】
一方、測定部１２０の先端には、エンドキャップ１２１が設けられている。エンドキャップ１２１は、内蔵された温度センサに対して被検者の体温が伝導しやすいように、ステンレスなどの金属により構成されている。
【００１８】
なお、測定部１２０は、本体部１１０に対して、結合部１１５を介して回動可能に取り付けられており、本体部１１０の長軸方向と略平行な位置である“標準位置”と、本体部１１０の長軸方向に対して略３０°の角度をなす“測定位置”との間を回動するよう構成されている。
【００１９】
具体的には、ＯＮ／ＯＦＦスイッチ１１２が押下され、電子体温計１００の電源が投入された状態で、指示部１１４が押下されることで、測定部１２０は矢印１３１方向に回動し、標準位置から測定位置へと移動する。また、指示部１１３が押下されることで、測定部１２０は矢印１３２方向に回動し、測定位置から標準位置へと移動する。
【００２０】
２．電子体温計の内部構成
次に、電子体温計１００の内部構成について説明する。図２は、電子体温計１００の内部構成を示す図である。なお、図２では、説明を簡略化するため、測定部１２０を回動するための回動機構のみを図示し、演算制御回路や、ブザー部、電池等については省略してある。
【００２１】
図２（ａ）に示すように、電子体温計１００の内部には、後端側に超音波モータ２０１が設けられ、プーリー２０２を駆動する。プーリー２０２には歯付きベルト２０３が噛み合わさっており、プーリー２０２の回転をプーリー２０５に伝達する。
【００２２】
プーリー２０５は、本体部１１０に回動可能に取り付けられた測定部１２０と接続されており、歯付きベルト２０３により伝達された回転力によりプーリー２０５が回動することで、測定部１２０は標準位置から測定位置まで（図２（ｂ）参照）、または測定位置から標準位置まで（図２（ａ）参照）回動する。
【００２３】
なお、プーリー２０２とプーリー２０５との間には、ローラ２０４が設けられており、歯付きベルト２０３の軌道を規定している。
【００２４】
かかる構成のもと、指示部１１４が押下されることで、超音波モータ２０１が駆動し、プーリー２０２が回転した結果、歯付きベルト２０３が矢印２０６方向に動作すると、測定部１２０は、標準位置から測定位置へと移動する。なお、測定部１２０の測定位置への移動が完了すると、超音波モータ２０１は停止する。
【００２５】
また、指示部１１３が押下されることで、超音波モータ２０１が再び駆動し、プーリー２０２が回転した結果、歯付きベルト２０３が矢印２０６と反対方向に動作することで、測定部１２０は、測定位置から標準位置へと移動する。
【００２６】
３．体温測定動作の流れ
次に、電子体温計１００を用いて体温測定を行う場合の、測定動作の流れについて説明する。図３は、電子体温計１００を用いて体温測定を行う場合の、測定動作の流れを示す図である。
【００２７】
図３に示すように、ステップＳ３０１において、被検者がＯＮ／ＯＦＦスイッチ１１２を押下することで、電子体温計１００の電源が投入されると、ステップＳ３０２において、電子体温計１００では、測定部１２０が測定位置にあった場合には、標準位置へと自動的に移動させる処理を行う。なお、電源投入時に、測定部１２０が標準位置にあった場合には、その状態が維持される。
【００２８】
ステップＳ３０３では、被検者が、被服の襟の隙間から被服の下に、測定部１２０が標準位置にある電子体温計１００を挿入する。ステップＳ３０３において被検者が電子体温計１００を被服の下に挿入した結果、電子体温計１００のエンドキャップ１２１が、腋窩の下方の所望の位置まで到達すると、ステップＳ３０４において、被検者は指示部１１４を押下する。
【００２９】
ステップＳ３０４において、被検者が指示部１１４を押下することで、ステップＳ３０５では、測定部１２０が、標準位置から測定位置へと移動する。上述したように、測定部１２０が測定位置まで移動すると、測定部１２０は、電子体温計１００の長軸方向に対して略３０°の角度をなすこととなる。このため、電子体温計１００を垂直方向（重力方向）に略平行にすることで、測定部１２０は、垂直方向（重力方向）に対して、略３０°の傾きをもって腋窩のくぼみの中央にあてがわれることとなる。
【００３０】
ステップＳ３０５における測定位置への移動が完了すると、電子体温計１００では、体温測定処理を開始する。なお、体温測定処理は、従来の電子体温計において実施されている処理と同様であるため、ここでは説明を省略する。
【００３１】
ステップＳ３０６における体温測定処理により、被検者の体温測定が完了すると、被検者は、ステップＳ３０７において、指示部１１３を押下することで、測定部１２０の標準位置への移動を指示する。
【００３２】
ステップＳ３０７において、被検者が測定部１２０の標準位置への移動を指示すると、ステップＳ３０８では、測定部１２０が、測定位置から標準位置へと移動する。測定部１２０が標準位置へと移動することにより、電子体温計１００は直線状に形成されることとなり、被検者が、被服の襟の隙間から電子体温計１００を取り出しやすい状態となる。
【００３３】
これをうけて、ステップＳ３０９では、被検者が電子体温計１００を被服の外に取り出し、測定結果を確認する。測定結果を確認すると、ステップＳ３１０では、被検者がＯＮ／ＯＦＦスイッチ１１２を押下することで、体温測定動作が終了する。
【００３４】
以上の説明から明らかなように、本実施形態に係る電子体温計１００では、測定部１２０を本体部１１０に回動可能に結合し、標準位置と測定位置との間を回動させる構成とした。
【００３５】
これにより、被服の襟の隙間を介して被服の下に電子体温計１００を挿入する場合、及び、被服の襟の隙間を介して被服の下から電子体温計１００を取り出す場合に、標準位置に移動させることで、挿入及び取り出しを容易に行うこと可能となった。
【００３６】
また、被服の下に挿入した状態で、測定部１２０を測定位置まで移動させることで、被服を着用したままであっても、電子体温計１００のエンドキャップ１２１を腋窩のくぼみの中央にあてがうにあたり、最適な角度である３０°を実現することが可能となった。
【００３７】
つまり、被服を着用している状態での、腋窩へのアプローチ及びアプローチ後の測定状態の維持の両方の観点における最適な形状を実現することにより、腋窩を測定部位とする体温測定に適した電子体温計を提供することが可能となった。
【００３８】
［第２の実施形態］
上記第１の実施形態では、プーリー２０２を回転させるために超音波モータ２０１を用いる構成としたが、本発明はこれに限定されない。例えば、プーリー２０２は手動で回転させるように構成してもよい。
【００３９】
図４は、本発明の第２の実施形態に係る電子体温計４００の内部構成を示す図である。なお、図２と同様の構成については、同じ参照番号を付し、ここでは説明を省略する。
【００４０】
図４（ａ）において、４０１はダイヤル（操作部）であり、本体部１１０に回動可能に取り付けられている。ダイヤル４０１の回動中心には、プーリー２０２が取り付けられており、これにより、ダイヤル４０１を回動させることで、プーリー２０２が回動し、歯付きベルト２０３を介してプーリー２０５を回動させることができる（つまり、ダイヤル４０１は、回転力を提供する操作部として機能する）。
【００４１】
図４（ａ）に示すように、ダイヤル４０１を矢印４０２方向に回動させると、歯付きベルト２０３は矢印２０６方向に動作するため、測定部１２０は標準位置から測定位置へと移動する（図４の（ｂ）参照）。反対に、ダイヤル４０１を矢印４０２方向と反対方向に回動させると、歯付きベルト２０３は矢印２０６方向と反対方向に動作するため、測定部１２０は測定位置から標準位置へと移動する。
【００４２】
なお、図４（ａ）においては不図示であるが、測定部１２０は測定位置及び標準位置においてそれぞれ回動が停止するように、ストッパーが設けられていてもよい。
【００４３】
以上の説明から明らかなように、測定部１２０を標準位置と測定位置との間で手動で動作させる構成とした場合であっても、上記第１の実施形態と同様の効果が得られる。
【００４４】
［第３の実施形態］
上記第１及び第２の実施形態では、自動または手動の回転力に基づいて、測定部１２０を動作させる構成としたが、本発明はこれに限定されず、直線方向の駆動力に基づいて、測定部１２０を動作させるように構成してもよい。
【００４５】
図５は、本発明の第３の実施形態に係る電子体温計５００の内部構成を示す図である。図５（ａ）において、５０１、５０３は超音波リニアアクチュエータであり、スライダ５０２、５０４をそれぞれ、直線方向に移動させることができる。
【００４６】
５０５は超音波リニアアクチュエータ５０１、５０３を動作させるための駆動回路であり、超音波リニアアクチュエータ５０１、５０３を同期して動作させることで、スライダ５０２、５０４が同じ速度で、反対方向に直線移動させることができる。
【００４７】
スライダ５０２、５０４と、歯車５０８とはラック・ピニオン機構を形成しており、これにより、スライダ５０２、５０４の直線動作が、回動動作へと変換される。スライダ５０２、５０４がそれぞれ矢印５０６、５０７方向に直線動作することで、測定部１２０は、標準位置から測定位置へと移動する。反対に、スライダ５０２、５０３が、それぞれ矢印５０６、５０７と反対方向に直線動作することで、測定部１２０は、測定位置から標準位置へと移動する。
【００４８】
以上の説明から明らかなように、直線方向の駆動力を提供するアクチュエータを用いた場合であっても、上記第１の実施形態と同様の効果が得られる。
【００４９】
［第４の実施形態］
上記第１乃至第３の実施形態では、本体部１１０と測定部１２０とを同軸上に配する構成としたが、本発明はこれに限定されず、本体部１１０の裏面と測定部１２０の表面とを回動自在に接続するように構成してもよい。これにより、測定部１２０は１８０°回動させることが可能となる。
【００５０】
１．電子体温計の外観構成
図６は、本発明の第４の実施形態に係る電子体温計６００の外観構成を示す図である。図６（ａ）に示すように、電子体温計６００は、本体部６１０と測定部６２０とを備え、測定部６２０は、本体部６１０の裏面において、結合部６１５を介して、本体部６１０に対して回動自在に取り付けられている。
【００５１】
これにより、測定部６２０は、本体部６１０の長軸方向と略平行で、かつ、エンドキャップ６２１がＯＮ／ＯＦＦスイッチ６１２と反対側に位置する“標準位置”と、本体部６１０の長軸方向に対して略３０°の角度をなす“測定位置”と、本体部６１０の長軸方向と略平行で、かつ、エンドキャップ６２１がＯＮ／ＯＦＦスイッチ６１２側に位置する（つまり、本体部６１０と測定部６２０とが重なりあった状態となる）折り畳み位置と、の間を回動させることが可能となる。
【００５２】
かかる構成のもと、ＯＮ／ＯＦＦスイッチ６１２が押下され、電子体温計６００の電源が投入された状態で、指示部６１４が１回押下されることで、測定部６２０は矢印６３１方向に回動し、標準位置から測定位置へと移動する。更に、指示部６１４がもう１回押下されることで、測定部６２０は更に矢印６３１方向に回動し、測定位置から折り畳み位置へと移動する。
【００５３】
また、指示部６１３が１回押下されることで、測定部６２０は矢印６３２方向に回動し、折り畳み位置から測定位置へと移動する。更に、指示部６１３がもう１回押下されることで、測定部６２０は更に矢印６３２方向に回動し、測定位置から標準位置へと移動する。
【００５４】
２．体温測定動作の流れ
次に、電子体温計６００を用いて体温測定を行う場合の、測定動作の流れについて説明する。図７は、電子体温計６００を用いて体温測定を行う場合の、測定動作の流れを示す図である。
【００５５】
図７に示すように、ステップＳ７０１において、被検者がＯＮ／ＯＦＦスイッチ６１２を押下することで、電子体温計６００の電源が投入されると、ステップＳ７０２において、電子体温計６００では、測定部６２０が標準位置または測定位置にあった場合には、折り畳み位置へと自動的に移動させる処理を行う。なお、電源投入時に、測定部６２０が折り畳み位置にあった場合には、その状態が維持される。
【００５６】
ステップＳ７０３では、被検者が、被服の襟の隙間から被服の下に、測定部６２０が折り畳み位置にある電子体温計６００を挿入する。ステップＳ７０３において被検者が電子体温計６００を被服の下に挿入した結果、電子体温計６００のエンドキャップ６２１が、腋窩よりも下方の位置に到達すると、ステップＳ７０４において、被検者は指示部６１３を１回押下する。
【００５７】
ステップＳ７０４において、被検者が指示部６１３を１回押下することで、ステップＳ７０５では、測定部６２０が、折り畳み位置から測定位置へと移動する。上述したように、測定部６２０が測定位置まで移動すると、測定部６２０は、電子体温計６００の長軸方向に対して略３０°の角度をなすこととなる。このため、電子体温計６００を垂直方向（重力方向）に略平行にすることで、測定部６２０は、垂直方向（重力方向）に対して、略３０°の傾きをもって腋窩のくぼみの中央にあてがわれることとなる。
【００５８】
ステップＳ７０５における測定位置への移動が完了すると、電子体温計６００では、体温測定処理を開始する。なお、体温測定処理は、従来の電子体温計において実施されている処理と同様であるため、ここでは説明を省略する。
【００５９】
ステップＳ７０６における体温測定処理により、被検者の体温測定が完了すると、被検者は、ステップＳ７０７において、指示部６１３を１回押下することで、測定部６２０の標準位置への移動を指示する。
【００６０】
ステップＳ７０７において、被検者が測定部６２０の標準位置への移動を指示すると、ステップＳ７０８では、測定部６２０が、測定位置から標準位置へと移動する。測定部６２０が標準位置へと移動することにより、電子体温計６００は直線状に形成されることとなり、被検者が、被服の襟の隙間から電子体温計６００を取り出しやすい状態となる。
【００６１】
これをうけて、ステップＳ７０９では、被検者が電子体温計６００を被服の外に取り出し、測定結果を確認する。測定結果を確認すると、ステップＳ７１０では、被検者がＯＮ／ＯＦＦスイッチ６１２を押下することで、体温測定動作が終了する。
【００６２】
このように、測定部６２０の回動範囲を広げる構成とすることで、折り畳み位置を実現することが可能となり、被検者が被服の襟の隙間から電子体温計６００を被服の下に挿入するにあたり、より挿入しやすくなる。
【００６３】
［その他の実施形態］
上記第１及び第４の実施形態では、ＯＮ／ＯＦＦスイッチを押下することで、電源が投入されると、自動的に標準位置または折り畳み位置（つまり、測定位置以外の位置）へと測定部が移動する構成としたが、本発明はこれに限定されず、測定位置へと自動的に移動する構成としてもよい。あるいは、電源投入時には自動的に移動しない構成としてもよい。
【００６４】
また、上記第１乃至第４の実施形態では、測定部が測定位置に移動されたことを条件に、体温測定処理が開始される構成としたが、本発明はこれに限定されず、ＯＮ／ＯＦＦスイッチが押下され、電源が投入されたことをトリガーとして体温測定処理が開始される構成としてもよい。
また、上記第１、第３、第４の実施形態では、ＯＮ／ＯＦＦスイッチが押下され電源が遮断されることで、体温測定動作を終了させる構成としたが、本発明はこれに限定されない。例えば、ＯＮ／ＯＦＦスイッチが押下された際に、測定部を所定の位置（例えば、標準位置、折り畳み位置）まで自動的に移動させた後に、電源を遮断するよう構成してもよい。
【符号の説明】
【００６５】
１００：電子体温計、１１０：本体部、１１１：表示部、１１２：ＯＮ／ＯＦＦスイッチ、１１３：指示部、１１４：指示部、１１５：結合部、１２０：測定部、１２１：金属キャップ、２０１：超音波モータ、２０２：プーリー、２０３：歯付きベルト、２０４：ローラ、２０５：プーリー、４００：電子体温計、４０１：ダイヤル、５００：電子体温計、５０１：超音波リニアアクチュエータ、５０２：スライダ、５０３：超音波リニアアクチュエータ、５０４：スライダ、５０５：駆動回路、５０８：歯車
【図１】
2014062841.tif 000003
【図２】
2014062841.tif 000004
【図３】
2014062841.tif 000005
【図４】
2014062841.tif 000006
【図５】
2014062841.tif 000007
【図６】
2014062841.tif 000008
【図７】
2014062841.tif 000009
【図８】
2014062841.tif 000010